(57)【特許請求の範囲】
【請求項１】
基板と、該基板に組合せられる板金カバーとによって形成されるＩＣカード用のカードコネクタにおいて、
前記基板の一側に設けられたイジェクタ機構に、ＩＣカードの浮き上がりを抑止する浮き上がり防止機構を形成する防止壁を設けると共に、前記板金カバーに、後ろ差しされたＩＣカードの後端部が当接し停止することにより該後端部の挿入を防止する誤挿入防止機構を形成する突起とを備え、
前記イジェクタ機構は、保持壁部を有し、前記防止壁は該保持壁部の上部から横方向に延び出るように突出して一体的に配設されていることを特徴とするカードコネクタ。
【請求項２】
前記防止壁は、前記イジェクタ機構の保持壁部から横方向に突出してＩＣカードのパッド部上に延出するように形成され、前記突起は、前記板金カバーから折り曲げて内方に突出するように形成されていることを特徴とする請求項１記載のカードコネクタ。
【請求項３】
前記突起に合成樹脂材料が被覆されることを特徴とする請求項１記載のカードコネクタ。
【請求項４】
基板と、該基板に組合せられる板金カバーとによって形成されるＩＣカード用のカードコネクタにおいて、
前記基板に設けられるイジェクタ機構における所定位置に挿入された前記ＩＣカードにおける少なくとも１つのパッド部に対して上方となる位置であって、該イジェクト機構に形成される保持壁または該保持壁とは反対側の側壁の上部から横方向に延び出るように突出して一体的に形成され、該パッド部の前記基板に対する浮き上がりを規制する防止壁と、
前記挿入された前記ＩＣカードのパッド部の真上となる位置で、該パッド部に向けて突出するように前記防止壁に隣接して板金カバーに形成される誤挿入防止用突起と、
を備えることを特徴とするカードコネクタ。
【請求項５】
基板と、該基板に組合せられる板金カバーとによって形成されるＩＣカード用のカードコネクタにおいて、
前記基板に設けられるイジェクタ機構における所定位置に挿入された前記ＩＣカードにおける少なくとも１つのパッド部に対して上方となる位置であって、該イジェクト機構に形成される保持壁の上部から横方向に延び出るように突出して一体的に形成され、該パッド部の前記基板に対する浮き上がりを規制する第１の防止壁と、
前記第１の防止壁に相対向し、前記挿入された前記ＩＣカードにおける少なくとも１つのパッド部に対して上方となる位置であって前記保持壁とは反対側の側壁の上部から横方向に延び出るように一体的に形成され、該パッド部の前記基板に対する浮き上がりを規制する第２の防止壁と、
前記挿入された前記ＩＣカードのパッド部の真上となる位置で、該パッド部に向けて突出するように前記第１の防止壁または前記第２の防止壁に隣接して板金カバーに形成される誤挿入防止用突起と、
を備えることを特徴とするカードコネクタ。
【発明の詳細な説明】
【０００１】
【発明の属する技術分野】
本発明は、カードコネクタに係わるもので、特に、ＩＣカードが挿入されるカードコネクタに関するものである。
【０００２】
【従来の技術】
近年、ＩＣチップと呼ばれるＩＣ部品が組込まれたＩＣカードの利用が非常に増大し、ＩＣカードを挿入するカードコネクタが広く求められている。従来のこのようなカードコネクタにおいては、市場要求として高さを低くして低背化を図り、かつＩＣカードの挿入と、抜き出しに必要な十分な強度のカードコネクタが求められており、さらに、ＩＣカードを保持し、かつＩＣカードのこじりに耐え得る強度が求められて、このような強度を達成するために上面に板金カバーを有し、このような板金カバーを基板に対して組込むことによってカードコネクタが構成されている。また、所謂、リバースタイプの反転して使用されるカードコネクタにおいても同様の要求が見られ、そのためにＩＣカードの低背化と、ＩＣカードのこじりに耐え得る強度が求められており、この要求を達成するためにカードコネクタの上面部分に板金を使用している。
【０００３】
【発明が解決しようとする課題】
しかしながら、このようなＩＣカードにおいて、ＩＣカード単体の公差は規格によって決められており、かつそのＩＣカードの公差が大きく設定されていて、この公差の最悪の公差を検証すると、ＩＣカードの外形面よりも、パッド部の溝深さが浅い寸法となる。また、突起の高さは、ＩＣカードのパッド部と接触しないようにするために、さらにこの溝深さよりも浅くしなければならず、突起高さがＩＣカードの外形の曲率（Ｒ）とほぼ同じ寸法になって、後ろ差しした時に、容易にＩＣカードがこの突起に乗り上げてコンタクトを座屈してしまう。
【０００４】
また、現状の市場に出ているＩＣカードは、公差が最悪で出来ておらず、このＩＣカードの実力値に合わせて突起の高さを決めると、後ろ差しの時の誤挿入は防止することが出来るが、今後、ＩＣカードの公差最悪品が市場に出て来た時には、板金の突起とＩＣカードのパッド部とが接触してしまい、ショート等の電気的な問題が発生してしまう。
【０００５】
従って、本発明の目的は、このような従来における問題点を解決するために、挿入されたＩＣカードの浮き上がりを抑える浮き上がり防止機構の防止壁を、基板上のイジェクタ機構に設けると共に、後ろ差しを阻止する誤挿入防止機構の突起を板金カバーに設けて、ＩＣカードの浮き上がりや誤挿入を防止してＩＣカードの損傷を無くし、かつショートが発生しないように保護するようにしたカードコネクタを提供することにある。
【０００６】
【課題を解決するための手段】
上述の目的を達成するために、本発明のカードコネクタは、基板と、該基板に組合せられる板金カバーとによって形成されるＩＣカード用のカードコネクタにおいて、前記基板の一側に設けられたイジェクタ機構に、ＩＣカードの浮き上がりを抑止する浮き上がり防止機構を形成する防止壁を設けると共に、前記板金カバーに、後ろ差しされたＩＣカードの後端部が当接し停止することにより該後端部の挿入を防止する誤挿入防止機構を形成する突起とを備え、前記イジェクタ機構は、保持壁部を有し、前記防止壁は該保持壁部の上部から横方向に延び出るように突出して一体的に配設されていることを特徴とする。
【０００７】
また、本発明のカードコネクタは、前記防止壁が、前記イジェクタ機構の保持壁部から横方向に突出してＩＣカードのパッド部上に延出するように形成され、前記突起が、前記板金カバーから折り曲げて内方に突出するように形成されていることを特徴とする。
【００１０】
本発明のカードコネクタは、前記突起に合成樹脂材料が被覆されることを特徴とする。
【００１２】
本発明のその他の目的や特徴および利点は、添付図面に示される本発明の実施形態についての以下の詳細な説明から明らかである。
【００１３】
【発明の実施の形態】
（実施例１）
図１乃至図８は、本発明のカードコネクタの実施例１を示す図で、図１は、本発明のカードコネクタにＩＣカードを挿入して示す平面図、図２は、図１の本発明のカードコネクタを、板金カバーを除去して示す斜視図で、図３は、本発明のカードコネクタを、ＩＣカードを抜き出して示す斜視図、図４は、図３の本発明のカードコネクタの板金カバーに設けられた突起を示す板金カバーを裏返した斜視図で、図５は、本発明のカードコネクタに用いられるＩＣカードの斜視図、図６は、図３の６−６線に沿った部分断面図で、図７は、図３の７−７線に沿った断面図、図８は、図１の８−８線に沿った拡大部分断面図である。
【００１４】
図１乃至図８に示されるように、本発明のカードコネクタ１は、基板２と、この基板２に組合せられる板金カバー３とによって偏平なハウジング形状に構成されており、一方の側は開放されていてＩＣカード挿入口４が形成され、他方の側は閉鎖されていてＩＣカード２０と電気的な接続をなす複数個のコンタクト５が設けられている。
【００１５】
このような本発明のカードコネクタ１に用いられるＩＣカードの一例が図５に示されている。図示されるように、ＩＣカード２０は、一端に複数個のパッド部２１が整列して設けられており、一方の角部に面取り部２２が設けられると共に、両側の側面に段差が付けられて段差部２３が設けられており、これら段差部２３がカードコネクタ１の案内溝１１にそれぞれ嵌合されてＩＣカード２０をスムーズにスライドさせて案内できるように形成されている。また、ＩＣカード２０の一方の角部に設けられた面取り部２２は、カードコネクタ１内のコーナー壁部（図示しない）と当接してＩＣカード２０の位置決めをなすように作用することができる。
【００１６】
本発明のカードコネクタ１は、ＩＣカード挿入口４からＩＣカード２０を挿入した時の、ＩＣカード２０の後ろ差しのような誤挿入を防止する少なくとも１つの突起８ａ、８ｂ、８ｃを有する誤挿入防止機構６と、挿入されたＩＣカード２０をスムーズに取り出すためのイジェクタ機構７とが設けられており、さらに、挿入されたＩＣカード２０の浮き上がりを防止するように抑止するための防止壁１０を有する浮き上がり防止機構９が、イジェクタ機構７に隣接して、あるいは近傍に設けられている。
【００１７】
この防止壁１０は、絶縁性の合成樹脂材料で作られた基板２の一側に沿って設けられたイジェクタ機構７の保持壁部１５の上部から横方向に延び出るように突出して一体的に設けられていて、基板２との間に間隔を置いて浮き上がった状態に形成されており、かつ挿入されたＩＣカード２０の面取り部２２の上に覆い被さっていて、ＩＣカード２０のパッド部２１の上方に位置するように構成されている。従って、このような浮き上がり防止機構９としての防止壁１０は、ＩＣカード２０のパッド部２１が接触または当接しても何等ショートすることが無く、ＩＣカード２０の浮き上がりを良好に抑えて防止することができ、さらにまた、板金カバー３からの高さを確保することができるように形成されている。
【００１８】
本発明のカードコネクタ１において、基板２は、適宜な合成樹脂材料などの絶縁材料によって成形して作られ、金属板材料の板金カバー３と組合せられて中空の偏平なハウジング形状に作られて、ＩＣカード２０が挿入されるように形成されている。また、このような絶縁材料の基板２の一側に沿ってイジェクタ機構７が設けられており、ＩＣカード２０をカードコネクタ１からスムーズに取り出しできるようになっている。さらに、このような基板２に対してＩＣカード２０の浮き上がりを抑止するように上述した如く防止壁１０が設けられており、この防止壁１０によって浮き上がり防止機構９が形成されている。
【００１９】
例えば、イジェクタ機構７は、基板２に形成された中空の細長い保持壁部１５内に滑動可能に装着された操作部材１２と、この操作部材１２を弾性附勢するばね１３と、操作部材１２をラッチするラッチ部材１４とを有し、ラッチ部材１４の解除によってばね１３の蓄勢された弾性力によって操作部材１２を押圧してＩＣカード２０を押出すように構成されている。なお、イジェクタ機構７の構成は、このような構成に限られるものではなく、他の同様な構成のものを適宜に用いることができる。
【００２０】
このようなイジェクタ機構７に対して、浮き上がり防止機構９の防止壁１０が基板２と一体に形成された保持壁部１５の側面上部から横方向に突出するように設けられていて、基板２との間に間隔を置いて浮き上がった状態に形成されている。基板２は絶縁性の合成樹脂材料から作られているので、浮き上がり防止機構９の防止壁１０も同様に絶縁性の合成樹脂材料から作られており、ＩＣカード２０のパッド部２１に触れても何等ショートするようなことが無く、また、板金カバー３からの十分な高さを確保することができる。
【００２１】
このような浮き上がり防止機構９の絶縁性の防止壁１０の高さよりも、若干低い高さをもって板金カバー３から突起８ａ、８ｂ、８ｃがそれぞれ内方に突出するように形成されることによって、ＩＣカード２０の誤挿入時に、この板金カバー３からの突起８ａ、８ｂ、８ｃのいずれかと当たることによってＩＣカード２０が挿入できない構成を形成することができる。なお、本実施例においては、３つの突起８ａ、８ｂ、８ｃが設けられているが、突起の数は３つに限られるものではなく、１つでも２つでも良いことは勿論である。
【００２２】
従って、ＩＣカード２０は、カードコネクタ１の前方側に形成されたＩＣカード挿入口４からカードコネクタ１内に挿入され、取り出し時には、イジェクタ機構７のラッチ部材１４による操作部材１２のラッチを解除して、ばね１３によって操作部材１２を作動してＩＣカード２０を取り出しできるようになっている。
【００２３】
板金カバー３は、図示されるような形状に、例えばステンレス鋼板のような金属薄板材料から打抜き加工やプレス加工などによって作られ、前方側にＩＣカード挿入口４が形成され、後方側に複数個のコンタクト５のための開口部１６が設けられており、特に、図３の図示で右方側から２番目と５番目と８番目の開口部１６の側部に突起８ａ、８ｂ、８ｃが内側に向ってそれぞれ突出するように折り曲げて設けられている。なお、これら突起８ａ、８ｂ、８ｃが設けられる開口部１６の場所と、開口部１６における位置は、いずれの場所や位置でも良く、適宜に選択して任意に決めることができるものである。
【００２４】
また、これらの突起８ａ、８ｂ、８ｃは、カードコネクタ１の長手方向、すなわちＩＣカード２０の挿入方向、に対して平行な方向に沿って折り曲げられているが、カードコネクタ１の横方向、すなわちＩＣカード２０の挿入方向と直交する方向に折り曲げても良く、上記の方向に限られることなく、いずれの方向にも折り曲げて形成できることは勿論である。また、数も１つに限らず、２つでも３つでも良い。さらに、これら突起８ａ、８ｂ、８ｃには、端面、側面の一方または両方、あるいは全体に、例えばアウトサート成形などによって合成樹脂材料の絶縁材料が一体的に成形加工して設けることができる。なお、このような突起８ａ、８ｂ、８ｃへの絶縁材料の成形は、アウトサート成形に限られるものではなく、インサート成形や他の適宜な手段によって形成できることは勿論であり、必要に応じて適宜選択できるものである。
【００２５】
また、カードコネクタ１の後方側には複数個のコンタクト５が設けられており、カードコネクタ１内に挿入されたＩＣカード２０のパッド部２１と接触して電気的に接続され、これらコンタクト５を介して電子機器のプリント配線基板（図示しない）と接続されるようになっている。
【００２６】
すなわち、図２および図３に明示されるように、コンタクト５は、先端部分にＩＣカード２０のパッド部２１と接触して接続される弾性変位可能に円弧状に彎曲した接触弾性条片部５ａが形成される共に、後端部分に電子機器のプリント配線基板と半田付けなどによって適宜に接続される端子部５ｂが設けられている。
【００２７】
このように構成された本発明のカードコネクタ１においては、ＩＣカード２０として例えば、二段厚型カードを用いることができ、このようなＩＣカード２０がＩＣカード挿入口４からカードコネクタ２内に挿入される時に、正規の状態でＩＣカード２０が挿入された場合には、ＩＣカード２０のパッド部２１がコンタクト５部分と正しく位置されて、コンタクト５の接触弾性条片部５ａがＩＣカード２０のパッド部２１の上に位置されて良好に接触されて接続される。
【００２８】
この場合に、コンタクト５の接触弾性条片部５ａは、ＩＣカード２０の先端部分が差し込まれた時には、コンタクト５の接触弾性条片部５ａが図２、図３において上方に押し上げられて弾性変形され、これに続いてパッド部２１の上に適切な弾性接触圧力をもって当接されて良好に接続されるようになる。
【００２９】
これによって、ＩＣカード２０は、パッド部２１からコンタクト５を介して電子機器のプリント配線基板と電気的に好適に接続されるようになる。また、このような場合に、突起８ａ、８ｂ、８ｃは絶縁性の合成樹脂材料の絶縁材料によって被覆されていると、ＩＣカード２０のパッド部２１と何等かの理由によって接触するようなことがあっても何等ショートするようなことが無く、カードコネクタ１内にＩＣカード２０を適切に装填することができる。さらにまた、このような突起８ａ、８ｂ、８ｃは、ＩＣカード２０のグランドパッド部分の位置、すなわちＩＣカード２０のパッド部２１の配線の無い部分の位置、に設けられるのが好適であり、板金カバー３の突起８ａ、８ｂ、８ｃの高さを確保することが出来る。すなわち、リバースタイプのカードコネクタ１において、ＩＣカード２０を誤挿入した時に、板金カバー３から突出する突起８ａ、８ｂ、８ｃによってＩＣカード２０が或る一定以上挿入できない構成を採っており、そのために或る一定の突起高さが必要となる。ただし、突起高さが高くなると、時には、ＩＣカード２０のパッド部２１と接触してショートしてＩＣカード２０の回路上の損傷を招く恐れがあるので、突起８ａ、８ｂ、８ｃの位置をＩＣカード２０のグランドパッド部分に位置に起ててパッド部２１の配線部分を避けることによって、例えば板金カバー３の突起８ａ、８ｂ、８ｃがＩＣカード２０のグランドパッド部分と接触してもグランドパッド部分であるためにＩＣカード２０に何等の損傷を与えることが無いようにすることが好適である。
【００３０】
また、もしも誤ってＩＣカード２０を後ろ向きで差込んでも、ＩＣカード２０の後端部が、突起８ａ、８ｂ、８ｃのいずれかに当たって阻止されるので、突起８ａ、８ｂ、８ｃがストッパとして有効的に作用してＩＣカード２０の誤挿入を適切に防止することができ、突起８ａ、８ｂ、８ｃから形成される誤挿入防止機構６が好適に作用するように構成されている。
【００３１】
上述したように構成された本発明のカードコネクタ１によれば、基板２と、この基板２に組合せられる板金カバー３とによって中空の偏平なハウジング形状に形成され、板金カバー３に内方に折り曲げて突出する突起８ａ、８ｂ、８ｃを設けて成る誤挿入防止機構６が構成されているので、板金カバー３の一部を内方に折り曲げるだけで突起８ａ、８ｂ、８ｃを簡単に形成することができるし、さらにまた、絶縁材料の基板２に設けられたイジェクタ機構７の保持壁部１５から横方向に突出するように設けられた防止壁１０から成る浮き上がり防止機構９によって、挿入されたＩＣカード２０のこじりやねじれ等によるＩＣカード２０の浮き上がりを好適に抑えて防止して、ＩＣカード２０を良好に維持して保護すると共に、コンタクト５の接触弾性条片部５ａを座屈しないように保護し、ショートの発生を無くし、かつＩＣカード２０の後ろ差しのような誤挿入を確実に防止することができ、さらに、カードコネクタ１が、絶縁材料の基板２に、金属薄板材料で作られた板金カバー３を組合せて形成されることによって、カードコネクタ１自体の厚さを薄く低背化を図ることができる。
【００３２】
（実施例２）
図９および図１０は、本発明におけるカードコネクタの実施例２を示す図で、図９は、本発明の実施例２におけるカードコネクタを、板金カバーを除去して示す斜視図で、図１０は、図９の本発明の実施例２におけるカードコネクタを、ＩＣカードを抜き出して示す斜視図である。
【００３３】
図９および図１０に示されるように、本発明の実施例２におけるカードコネクタは、上述の実施例１のカードコネクタとは、基板の他方の側に別の浮き上がり防止機構としての防止壁がさらに付加するように設けられていることが異なっており、他の構造に就いては先の実施例１のカードコネクタと実質的にほぼ同じである。従って、同一部材には、同じ符号が用いられている。
【００３４】
本発明のこの実施例２のカードコネクタ１’においては、イジェクタ機構７が設けられている保持壁部１５と反対側の側壁１８に、この別の浮き上がり防止機構４０が設けられている。すなわち、図９および図１０に示されるように、本実施例における浮き上がり防止機構４０は、基板２の端壁１７と側壁１８とが交叉する隅部分に設けられたほぼＬ字形の防止壁４１から構成されており、このほぼＬ字形の防止壁４１の一方の脚部４１ａが基板２の端壁１７と一体に形成されていて、端壁１７の上部から長手方向（ＩＣカード挿入方向）に浮き上がった状態に延び出るように設けられており、他方の脚部４１ｂが側壁１８の上部から横方向に同様に浮き上がった状態で延び出るように一体的に形成されていて、基板２との間に間隔を置いて浮き上がった状態に設けられている。
【００３５】
従って、挿入されたＩＣカード２０は、基板２とこの防止壁４１との間の隙間部分に入り込んで位置されるようになり、防止壁４１がＩＣカード２０の上に覆い被さってＩＣカード２０のパッド部２１の上方に位置するようになるので、ＩＣカード２０の浮き上がりを、この浮き上がり防止機構４０の防止壁４１によって良好に抑えて防止することができる。また、この浮き上がり防止機構４０の防止壁４１は、先のイジェクタ機構７側の浮き上がり防止機構９の防止壁１０とは別に設けても良いし、同じに設けても良いことは勿論である。
【００３６】
【発明の効果】
本発明の請求項１記載のカードコネクタは、基板と、該基板に組合せられる板金カバーとによって形成されるＩＣカード用のカードコネクタにおいて、前記基板の一側に設けられたイジェクタ機構に、ＩＣカードの浮き上がりを抑止する浮き上がり防止機構を形成する防止壁を設けると共に、前記板金カバーに、後ろ差しされたＩＣカードの後端部が当接し停止することにより該後端部の挿入を防止する誤挿入防止機構を形成する突起とを備え、前記イジェクタ機構は、保持壁部を有し、前記防止壁は該保持壁部の上部から横方向に延び出るように突出して一体的に配設されているので、防止壁と突起を簡単、かつ良好に設けることができ、ＩＣカードを挿入した時のカードコネクタのこじりやねじりによるＩＣカードの浮き上がりや載り越えを良好に防止し、ＩＣカードが上に行かないようにすることができ、かつＩＣカードの後ろ差しのような誤挿入を防止することができる。
【００３７】
本発明の請求項２記載のカードコネクタは、前記防止壁が、前記イジェクタ機構の保持壁部から横方向に突出してＩＣカードのパッド部上に延出するように形成され、前記突起が、前記板金カバーから折り曲げて内方に突出するように形成されているので、防止壁と突起とを簡単に、かつ良好に設けることができ、カードコネクタを簡単、容易に、かつ安価に製作することができる。
【００４０】
本発明の請求項３記載のカードコネクタは、前記突起に合成樹脂材料が被覆されるので、挿入されるＩＣカードの過度の挿入による突起の載り越えを防止してＩＣカードを良好に保護すると共に、コンタクトの接触弾性条片部を座屈しないように保護し、ショートの発生を無くし、かつＩＣカードの後ろ差しのような誤挿入を防止することができる。
【図面の簡単な説明】
【図１】本発明のカードコネクタにＩＣカードを挿入して示す平面図である。
【図２】図１の本発明のカードコネクタを、板金カバーを除去して示す斜視図である。
【図３】本発明のカードコネクタを、ＩＣカードを抜き出して示す斜視図である。
【図４】図３の本発明のカードコネクタの板金カバーに設けられる突起を示す板金カバーを裏返した斜視図である。
【図５】本発明のカードコネクタに用いられるＩＣカードの斜視図である。
【図６】図３の６−６線に沿った部分断面図である。
【図７】図３の７−７線に沿った断面図である。
【図８】図１の８−８線に沿った拡大部分断面図である。
【図９】本発明の実施例２におけるカードコネクタを、板金カバーを除去して示す斜視図である。
【図１０】図９の本発明の実施例２におけるカードコネクタを、ＩＣカードを抜き出して示す斜視図である。
【符号の説明】
１      カードコネクタ
１’    カードコネクタ
２      基板
３      板金カバー
４      ＩＣカード挿入口
５      コンタクト
５ａ    接触弾性条片部
５ｂ    端子部
６      誤挿入防止機構
７      イジェクタ機構
８ａ    突起
８ｂ    突起
８ｃ    突起
９      浮き上がり防止機構
１０    防止壁
１１    案内溝
１２    操作部材
１３    ばね
１４    ラッチ部材
１５    保持壁部
１６    開口部
１７    端壁
１８    側壁
２０    ＩＣカード
２１    パッド部
２２    面取り部
２３    段差部
４０    浮き上がり防止機構
４１    防止壁
４１ａ  脚部
４１ｂ  脚部
【図１】
0003768125.tif 000002
【図２】
0003768125.tif 000003
【図３】
0003768125.tif 000004
【図４】
0003768125.tif 000005
【図５】
0003768125.tif 000006
【図６】
0003768125.tif 000007
【図７】
0003768125.tif 000008
【図８】
0003768125.tif 000009
【図９】
0003768125.tif 000010
【図１０】
0003768125.tif 000011